(57)【要約】【課題】袋体に封入された生ごみを投入し加熱乾燥処理させようとすると乾燥処理時間が長くなるという課題があった。【解決手段】生分解性高分子化合物により成形された袋体に封入された状態の生ごみを収納可能な収納容器１と、収納容器１内の生ごみを加熱することで乾燥、減量させる乾燥ヒータ（乾燥加熱手段）７、乾燥ファン（乾燥加熱手段）８と、収納容器の内部に投入された生ごみを攪拌する攪拌手段５を備え、収納容器１底面に収納容器１内側に向けて凸形状部３を設け、前記凸形状部３の下部近傍に前記凸形状部３を加熱し、前記凸形状部３と接する前記袋体の一部を加熱溶融させるための凸部加熱手段４を設けた。これにより、攪拌手段５の動作と共に前記袋体に封入された生ごみがより早く収納容器１内で均等に加熱され、乾燥処理時間を短くすることができる。【選択図】図１
2007253135.tif 000002
【特許請求の範囲】
【請求項１】
生分解性高分子化合物により成形された袋体に封入された状態の生ごみを収納可能な収納容器と、収納容器内の生ごみを加熱することで乾燥、減量させる乾燥加熱手段と、収納容器の内部に投入された生ごみを攪拌する攪拌手段を備え、収容容器底面に収納容器内側に向けて凸形状部を設け、前記凸形状部の下部近傍に前記凸形状部を加熱し、前記凸形状部と接する前記袋体の一部を加熱溶融させるための凸部加熱手段を設けたことを特徴とする生ごみ処理機。
【請求項２】
収納容器内に投入された生ごみを収納容器底部まで攪拌するために、攪拌手段は、収納容器底面に近接するよう設けられた攪拌手段底部を有し、生ごみを攪拌するときに、前記攪拌手段底部の軌道が凸形状部を避ける構成とした請求項１に記載の生ごみ処理機。
【請求項３】
前記袋体の一部が加熱溶融され、生分解性高分子化合物により成形された袋体に封入された生ごみが収納容器内に均等になり、生ごみの加熱乾燥が促進されるまでの時間を判別するために乾燥運転時間を計測する運転時間計測手段を設け、制御装置は前記運転時間計測手段の情報により運転開始から所定時間の間、前記凸形状を加熱するよう凸部加熱手段を第一の通電率で動作させ、所定時間経過後は凸部加熱手段を第一の通電率より低い第二の通電率で動作させる請求項１または２に記載の生ごみ処理機。
【請求項４】
収納容器内の温度を直接又は、間接的に検出する乾燥センサと、前記乾燥センサの出力を基に、収納容器内又はその近傍の温度を所定の設定温度に保つように乾燥加熱手段を制御する制御装置を設け、前記袋体の一部が加熱溶融され、生分解性高分子化合物により成形された袋体に封入された生ごみが収納容器内に均等になり、生ごみの加熱乾燥が促進されるまでの時間を乾燥センサの出力の上昇により判別することを特徴とし、乾燥センサの出力が所定値以下であるとき、制御装置は前記凸形状を加熱するよう第一の通電率で凸部加熱手段を動作させ、乾燥センサの出力が所定値以上になると第二の通電率で動作させる請求項１または２に記載の生ごみ処理機。
【請求項５】
生ごみから発生する水蒸気を検出する蒸気検出手段を設け、前記袋体の一部が加熱溶融され、生分解性高分子化合物により成形された袋体に封入された生ごみが収納容器内に均等になり、生ごみの加熱乾燥が促進されるまでの時間を蒸気検出手段の出力にて判別する制御装置を有し、蒸気検出手段の出力が所定値以下であるとき、制御装置は前記凸形状を加熱するよう第一の通電率で凸部加熱手段を動作させ、蒸気検出手段の出力が所定値以上になると第二の通電率で動作させる請求項１または２に記載の生ごみ処理機。
【発明の詳細な説明】
【技術分野】
【０００１】
本発明は、家庭やレストランの厨房で発生する生ごみを減量処理する生ごみ処理機の制御方式に関するものである。
【背景技術】
【０００２】
従来の生ごみ処理機について、図３を用いて説明する。
【０００３】
収納容器１０１に生ごみを投入して、生ごみ処理機本体１２０の運転を開始すると、乾燥ヒータ１０７が通電され、乾燥ファン１０８により温風が、生ごみに吹き付けられ、乾燥処理が開始する。乾燥処理中は収納容器１０１の内部に設けられた生ごみを攪拌するための攪拌手段１０５が動作することで収納容器内１０１の生ごみを均等に加熱できるようになっている。
【０００４】
生ごみの乾燥が始まると収納容器１０１内には水蒸気が発生し、排気通路１１０を通る水蒸気が増え、排気通路１１０を通る水蒸気の温度が上昇する。
【０００５】
さらに生ごみの乾燥が進むと、収納容器１内の水蒸気の量が減り、排気通路１１０を通る水蒸気の温度が所定の温度以下になったら、乾燥が終了したものとして、乾燥ヒータ１０７への通電を停止し、運転を停止していた。また生ごみ乾燥処理後の乾燥処理物は肥料として利用することが可能である（例えば、特許文献１参照）。
【特許文献１】特開平９−２８９４０６号公報
【発明の開示】
【発明が解決しようとする課題】
【０００６】
近年、地球温暖化問題等の環境問題に配慮された生分解性高分子化合物の開発が進み容器、袋等も生分解性高分子化合物にて成形されるようになってきている。また生分解性高分子化合物にて成形された袋を生ごみと一緒に加熱処理してもポリエチレンの袋等と一緒に加熱処理したときのように残渣物が残ることはなく、生ごみ乾燥処理後の乾燥処理物を肥料として利用した場合にもバイオリサイクルが可能である。そのため生ごみを生分解性高分子化合物にて成形された袋に封入された、たとえば台所の生ごみの水きり袋等に封入された生ごみを袋ごと直接処理できる生ごみ処理機が有用となってくる。
【０００７】
しかしながら従来の生ごみ処理機においては、生ごみが袋等に封入され乾燥処理されることを想定した構造でないため、生ごみの攪拌時に生ごみの封入された袋を破り袋内の生ごみを収納容器内で均等に加熱できるようになり乾燥処理は可能なものの、生ごみの加熱乾燥処理に時間がかかるというような課題がある。
【０００８】
本発明は上記課題を解決するもので、生分解性高分子化合物により成形された袋体に封入された生ごみをより早く収納容器内で均等に加熱できるようにし、より早く生ごみを加熱乾燥させ、処理時間の短い生ごみ処理機を提供することを目的とするものである。
【課題を解決するための手段】
【０００９】
上記従来の課題を解決するために本発明の生ごみ処理機は、生分解性高分子化合物により成形された袋体に封入された状態の生ごみを収納可能な収納容器と、収納容器内の生ごみを加熱することで乾燥、減量させる乾燥加熱手段と、収納容器の内部に投入された生ごみを攪拌する攪拌手段を備え、収容容器底面に収納容器内側に向けて凸形状部を設け、前記凸形状部の下部近傍に前記凸形状部を加熱し、前記凸形状部と接する前記袋体の一部を加熱溶融させるための凸部加熱手段を設けたことを特徴とする生ごみ処理機とした。これにより、袋体に封入された生ごみが投入され、運転が開始されると収容容器底面に設けられた凸形状部を加熱するための加熱手段が動作し、前記凸形状部に接している袋体が溶融され、攪拌手段の動作と共に袋体に封入された生ごみがより早く収納容器内で均等に加熱されるようになる。そのためより早く生ごみを加熱乾燥させることができる。
【発明の効果】
【００１０】
本発明は、収容容器底面に設けられた凸形状部を加熱するための加熱手段を動作させ、前記凸形状部に接している生分解性高分子化合物により成形された袋体が溶融され、攪拌手段の動作と共に前記袋体に封入された生ごみがより早く収納容器内で均等に加熱されるようにし、袋体に封入された生ごみをより早く加熱乾燥させ処理時間の短い生ごみ処理機を提供することを目的とするものである。
【発明を実施するための最良の形態】
【００１１】
第１の発明は、生分解性高分子化合物により成形された袋体に封入された状態の生ごみを収納可能な収納容器と、収納容器内の生ごみを加熱することで乾燥、減量させる乾燥加熱手段と、収納容器の内部に投入された生ごみを攪拌する攪拌手段を備え、収容容器底面に収納容器内側に向けて凸形状部を設け、前記凸形状部の下部近傍に前記凸形状部を加熱し、前記凸形状部と接する前記袋体の一部を加熱溶融させるための凸部加熱手段を設けたことを特徴とする生ごみ処理機とした。これにより、生分解性高分子化合物により成形された袋体に封入された生ごみが収納容器内に投入され運転が開始されると収容容器底面に設けられた凸形状部を加熱するための加熱手段が動作し、前記凸形状部に接している前記袋体が溶融され、攪拌手段の動作と共に袋体に封入された生ごみがより早く収納容器内で均等に散らばり加熱されるようになる。そのためより早く袋体に封入された生ごみを加熱乾燥させることができる。よって生分解性高分子化合物により成形された袋体に封入された生ごみをより早く加熱乾燥させ処理時間の短い生ごみ処理機を提供することができる。
【００１２】
第２の発明は、収納容器内に投入された生ごみを収納容器底部まで攪拌するために、攪拌手段は、収納容器底面に近接するよう設けられた攪拌手段底部を有し、生ごみを攪拌するときに、前記攪拌手段底部の軌道が凸形状部を避ける構成とした。そして、攪拌手段の底部を収納容器底面に近接させることにより収納容器底部の生ごみを攪拌でき、収納容器内の生ごみをより均等に攪拌できるため、攪拌手段動作時に収納容器底面と攪拌手段の底部との近接部をより多く設けること必要である。収納容器底部に凸形状部が設けられているため攪拌手段は生ごみ攪拌時に攪拌手段底部の軌道が前記凸形状部を避ける形状にすることで収納容器底面に攪拌手段の底部をより近接させることができ収納容器内の生ごみをより均等に攪拌、加熱乾燥できるようにすることができる。よって生分解性高分子化合物により成形された袋体に封入された生ごみをより早く加熱乾燥させ処理時間の短い生ごみ処理機を提供することができる。
【００１３】
第３の発明は、前記袋体の一部が加熱溶融され、生分解性高分子化合物により成形された袋体に封入された生ごみが収納容器内に均等になり、生ごみの加熱乾燥が促進されるまでの時間を判別するために乾燥運転時間を計測する運転時間計測手段を設け、制御装置は前記運転時間計測手段の情報により運転開始から所定時間の間、前記凸形状を加熱するよう凸部加熱手段を第一の通電率で動作させ、所定時間経過後は凸部加熱手段を第一の通電率より低い第二の通電率で動作させる生ごみ処理機である。運転開始直後の前記袋体の加熱溶融が進んでいる段階では、袋体に封入された生ごみが早く収納容器内に均等に加熱乾燥される状態になるよう高い通電率で凸部加熱手段を動作させる。しかし、ある程度生ごみの乾燥が進み始めている段階で、収納容器底面近傍を高温で加熱すると処理中の生ごみが収納容器内の凸形状部にこびりつき使い勝手が悪くなる。とくに糖質の多い生ごみが投入されている場合は顕著である。そのため運転開始から所定時間経過後は凸部加熱手段の通電率を下げるようにする。これにより生分解性高分子化合物により成形された袋体に封入された生ごみをより早く加熱乾燥させ処理時間の短く、かつ使い勝手を向上させた生ごみ処理機を提供することができる。
【００１４】
第４の発明は、収納容器内の温度を直接又は、間接的に検出する乾燥センサと、前記乾燥センサの出力を基に、収納容器内又はその近傍の温度を所定の設定温度に保つように乾燥加熱手段を制御する制御装置を設け、前記袋体の一部が加熱溶融され、生分解性高分子化合物により成形された袋体に封入された生ごみが収納容器内に均等になり、生ごみの加熱乾燥が促進されるまでの時間を乾燥センサの出力の上昇により判別することを特徴とし、乾燥センサの出力が所定値以下であるとき、制御装置は前記凸形状を加熱するよう第一の通電率で凸部加熱手段を動作させ、乾燥センサの出力が所定値以上になると第二の通電率で動作させる生ごみ処理機である。前記袋体の一部が加熱溶融され、生分解性高分子化合物により成形された袋体に封入された生ごみが収納容器内に均等になり、生ごみの乾燥が進み生ごみの温度が高くなるにつれて収納容器内の温度も上昇し乾燥センサの出力値も上昇する。よって乾燥センサの出力値により収納容器内の生ごみの乾燥状態を精度よく推測できるため乾燥センサの出力が所定値以上の場合は凸部加熱手段の通電率を下げるようにし、収納容器内の凸形状部への生ごみのこびりつきを防止し、生分解性高分子化合物により成形された袋体に封入された生ごみをより早く加熱乾燥させ処理時間の短く、かつ使い勝手を向上させた生ごみ処理機を提供することができる。
【００１５】
第５の発明は、生ごみから発生する水蒸気を検出する蒸気検出手段を設け、前記袋体の一部が加熱溶融され、生分解性高分子化合物により成形された袋体に封入された生ごみが収納容器内に均等になり、生ごみの加熱乾燥が促進されるまでの時間を蒸気検出手段の出力にて判別する制御装置を有し、蒸気検出手段の出力が所定値以下であるとき、制御装置は前記凸形状を加熱するよう第一の通電率で凸部加熱手段を動作させ、蒸気検出手段の出力が所定値以上になると第二の通電率で動作させる生ごみ処理機である。前記袋体の一部が加熱溶融され、生分解性高分子化合物により成形された袋体に封入された生ごみが収納容器内に均等になり、生ごみの乾燥が進み始めると生ごみから水蒸気が発生するため蒸気検出手段の出力値も上昇する。よって蒸気検出手段の出力値により収納容器内の生ごみの乾燥状態を直接測定できる。ゆえに蒸気検出手段の出力が所定値以上の場合は凸部加熱手段の通電率を下げるようにし、収納容器内の凸形状部への生ごみのこびりつきを確実に防止し、生分解性高分子化合物により成形された袋体に封入された生ごみをより早く加熱乾燥させ処理時間の短く、かつ使い勝手を向上させた生ごみ処理機を提供することができる。
【００１６】
以下、本発明の実施の形態について、図面を参照しながら説明する。なお、この実施の形態によって本発明が限定されるものではない。
【００１７】
（実施の形態１）
以下、本発明の第１の実施の形態を、図１〜図４を用いて説明する。
【００１８】
生ごみ処理機本体２０には、生ごみを収納する円筒状の収納容器１、収納容器１を開閉自在の覆う蓋２が設けられている。収納容器１の内部には、ごみを攪拌する攪拌手段５が配され、その攪拌手段５は攪拌モータ６により駆動される。収納容器１底面には収納容器１の外形と相似形状の円形の凸形状部３が設けられている。また凸形状部３の根元には縦断面である図２に示すようにＲ形状が設けられている。凸形状部３の下部には凸形状部３を加熱するための凸部加熱手段４が配されている。また攪拌手段５の縦断面形状は図２に示されるように凸形状部３を避け、底部が収納容器１の底面に近接するような形状になっている。収納容器１の上部には、収納容器１内の温度を検出する温度検出手段である乾燥センサ１３、生ごみを加熱する乾燥ヒータ７、乾燥ヒータ７で加熱された空気を攪拌しながら生ごみに吹き付ける乾燥ファン８が設けてある。
【００１９】
生ごみから発生する水蒸気を含む気体は、収納容器１と臭気を脱臭する酸化触媒９を結ぶ排気通路１０を通り、酸化触媒９により脱臭されるようになっている。酸化触媒９を通過した気体が通過するの排出通路１０は、生ごみから発生する水蒸気を吸引すると共に外部に排出するための吸引排出ファン１２に接続されている。吸引排出ファン１２によって排出された排気は生ごみ処理機本体２０に設けた排気口１１から排出される構成である。
【００２０】
また、排気通路１０の一部には、排気通路１０を通る生ごみから発生する水蒸気を含む気体の温度を直接若しくは間接的に検知する蒸気検出手段１４を設けている。
【００２１】
上記構成においてその動作を説明する。使用者が収納容器１に生分解性高分子化合物により成形された袋体に封入された生ごみ１５を投入して、運転を開始すると乾燥ヒータ７が通電され、乾燥ファン８により温風が、生ごみに吹き付けられ、加熱乾燥処理が開始する。このとき酸化触媒９も脱臭能力を発揮する温度まで加熱される。同時に制御装置１６により凸形状部３の下部に配された凸部加熱手段４には第一の通電率で通電される。凸形状部３の加熱による生分解性高分子化合物により成形された袋体は溶融されると共に攪拌手段５の攪拌により生分解性高分子化合物により成形された袋体に封入された生ごみ１５は収納容器１内により早く均等に散らばり加熱されるようになる。
【００２２】
乾燥ヒータ７、乾燥ファン８による生ごみの加熱温度は、常に乾燥センサ１３で検知され、一定の温度になるように、制御回路（図示せず）によって制御され生ごみの加熱乾燥が進む。
【００２３】
次に、運転開始から所定時間Ｔが経過し、生ごみの乾燥が本格的に進むと、収納容器１内の温度の上昇と共に乾燥センサ１３の出力も所定値Ａを超え上昇する。また収納容器内１の温度が上昇するため生ごみの水蒸気が多量に発生し、排気通路１０内の蒸気検出手段１４で検知される検出値が所定値Ｂより高くなる。
【００２４】
この時、収納容器１内の生ごみは柔らかくゲル状になっているため収納容器１の底面に設けられている凸形状部３を高い温度で加熱すると生ごみが収納容器１の底面にこびりついてしまうことが多くなる。とくに糖質が多いごみにおいてはこびりつきが顕著になり使い勝手が悪くなる。そのため運転開始から所定時間Ｔ経過した後、または乾燥センサ１３の出力が所定値Ａを超えた場合、蒸気検出手段１４の出力が所定値Ｂを超えた場合、制御装置１６は凸部加熱手段４の通電率を第一の通電率より低い第二の通電率に切換える。
【００２５】
さらに生ごみの乾燥が進むと、収納容器１内の水蒸気の量が減り、排気通路１０を通る水蒸減りが蒸気検出手段１４の出力が所定値Ｃ以下になったら、乾燥が終了したものとして、乾燥ヒータ７への通電を停止し、また凸部加熱手段４への通電も停止し、収納容器内１の温度が所定値以下になったら運転を停止する。
【００２６】
また熱処理された生分解性高分子化合物により成形された袋体を含む生ごみ乾燥処理後の乾燥処理物は肥料として利用することが可能である。
【００２７】
以上のように生分解性高分子化合物により成形された袋体に封入された生ごみがより早く収納容器内で均等に加熱されるようにし、袋体に封入された生ごみをより早く加熱乾燥させ処理時間の短い生ごみ処理機を提供することができる。
【産業上の利用可能性】
【００２８】
以上のように、本発明にかかる生ごみ処理機によれば、収容容器底面に設けられた凸形状部を加熱するための加熱手段を動作させ、前記凸形状部に接している生分解性高分子化合物により成形された袋体が溶融され、攪拌手段の動作と共に前記袋体に封入された生ごみがより早く収納容器内で均等に加熱されるようにすることができ、袋体に封入された生ごみをより早く加熱乾燥させ処理時間の短い生ごみ処理機を提供することを目的とするものである。
【図面の簡単な説明】
【００２９】
【図１】本発明の実施の形態１を示す生ごみ処理機の断面図
【図２】（ａ）同生ごみ処理機の収納容器の天面図（ｂ）同生ごみ処理機の収納容器の正面断面図
【図３】（ａ）同生ごみ処理機の袋体に封入された生ごみ投入時の収納容器の天面図（ｂ）同生ごみ処理機の袋体に封入された生ごみ投入時の収納容器の正面断面図
【図４】（ａ）同生ごみ処理機の凸部加熱手段の通電率切換動作を示すタイムチャート（ｂ）同生ごみ処理機の凸部加熱手段の他の通電率切換動作を示すタイムチャート（ｃ）同生ごみ処理機の凸部加熱手段の他の通電率切換動作を示すタイムチャート
【図５】従来の生ごみ処理機の断面図
【符号の説明】
【００３０】
１    収納容器
２    蓋
３    凸形状部
４    凸部加熱手段
５    攪拌手段
６    攪拌モータ
７    乾燥ヒータ（乾燥加熱手段）
８    乾燥ファン（乾燥加熱手段）
９    酸化触媒
１０  排気通路
１１  排気口
１２  吸引排出ファン
１３  乾燥センサ
１４  蒸気検出手段
１５  袋体に封入された生ごみ
１６  制御装置
２０  生ごみ処理機本体
【図１】
2007253135.tif 000003
【図２】
2007253135.tif 000004
【図３】
2007253135.tif 000005
【図４】
2007253135.tif 000006
【図５】
2007253135.tif 000007